(57)【要約】      （修正有）【課題】  Ｖ．Ｓ．Ｗ．Ｒ．特性を広帯域に対応させることが可能なＵＨＦ帯用パラボラアンテナを提供する。【解決手段】  一次放射器１の反射板３に一次放射器１の放射素子側に突出する金属製のインピーダンス調整部材６を配設する。インピーダンス調整部材６は、一対で構成され、長方形状の金属板からなり、放射素子２側に向かって突出するように、かつ、放射素子２および一次放射器１の中心軸線を含む面内において、中心軸線に対し対称に位置するように、反射板３の周縁部に溶接等の手段により固定されている。【選択図】  図１
2006287338.tif 000002
【特許請求の範囲】
【請求項１】
一次放射器の反射板に該一次放射器の放射素子側に突出する金属製のインピーダンス調整部材を配設したことを特徴とするＵＨＦ帯用パラボラアンテナ。
【請求項２】
前記インピーダンス調整部材を前記放射素子および前記一次放射器の中心軸線を含む面内に位置させたことを特徴とする請求項１に記載のＵＨＦ帯用パラボラアンテナ。  
【請求項３】
前記インピーダンス調整部材を一対備え、それらのインピーダンス調整部材を前記一次放射器の中心軸線に対して対称な位置に配設したことを特徴とする請求項２に記載のＵＨＦ帯用パラボラアンテナ。
【請求項４】
前記インピーダンス調整部材を前記一次放射器のフードの内部に設けたことを特徴とする請求項１に記載のＵＨＦ帯用パラボラアンテナ。
【請求項５】
前記インピーダンス調整部材を長方形状の金属板で形成したことを特徴とする請求項１に記載のＵＨＦ帯用パラボラアンテナ。
【発明の詳細な説明】
【技術分野】
【０００１】
本発明は、ＴＶ・ＵＨＦ帯の送・受信アンテナとして使用するパラボラアンテナに関し、特に、ＴＶ放送のデジタル化に伴って必要となるアナログ／アナログ変更、デジタル／アナログ共用アンテナシステムに使用して好適な広帯域パラボラアンテナに関する。
【背景技術】
【０００２】
従来のＵＨＦ帯用パラボラアンテナには、反射鏡面が格子で構成されたグリヅドパラボラアンテナや、反射鏡面が板で構成されたブレートパラボラアンテナなどがある。（例えば、非特許文献１参照）
上記グリヅドパラボラアンテナおよびブレートパラボラアンテナは、それぞれ図５および第６図に例示したような外観を有する。同各図において、（ａ）および（ｂ）は、それぞれ正面図および側面図である。
【０００３】
図７（ａ）、（ｂ）および（ｃ）は、それぞれ上記各パラボラアンテナの一次放射器１００の構成を例示した正面図、側面図および横断面図である。この図  ７において、ダイポール素子２および反射板３は放射部として動作し、また同軸管部４は給電回路およびインピータンス整合回路として動作する。ダイポール素子２は、両先端部が反射板３側に向って折れ曲がった半折れ形状を有し、フード５によって囲まれている。この一次放射器１００では、上記放射部と同軸管部４の周波数特性が上記各パラボラアンテナの入力インピーダンスの周波数特性として現れる。
上記一次放射器１００を備える従来の各パラボラアンテナは、図８に例示したような電界面指向性と、図９に例示したような磁界面指向性とを有する。
なお、図６に示したブレートパラボラアンテナは、反射鏡面がレドームで覆われているので、一次放射器１００にフードを設けていない。
【０００４】
【非特許文献１】「アンテナ工学ハンドブック」第２９７頁、第３１４頁  社団法人電気通信学会  昭和５５年１０月３０日  株式会社オーム社発行
【発明の開示】
【発明が解決しようとする課題】
【０００５】
上記従来の各パラボラアンテナの帯域特性は、Ｖ．Ｓ．Ｗ．Ｒ．１．４以下におけるＵＨＦ帯比帯域が１０％弱程度である。しかし、広帯域にチャンネルの共用を行うには比帯域４０％程度が必要になる。
本発明は、このような状況に鑑み、放射部の周波数特性の変化を小さくして、Ｖ．Ｓ．Ｗ．Ｒ．特性を広帯域に対応させることが可能なＵＨＦ帯用パラボラアンテナを提供することにある。
【課題を解決するための手段】
【０００６】
上記目的を達成するため、本発明に係るＵＨＦ帯用パラボラアンテナは、一次放射器の反射板に該一次放射器の放射素子側に突出する金属製のインピーダンス調整部材を配設している。
【０００７】
前記インピーダンス調整部材は、前記放射素子および前記一次放射器の中心軸線を含む面内に位置させることが望ましい。
【０００８】
前記インピーダンス調整部材は、例えば一対設けることができ、その場合、それらのインピーダンス調整部材を前記一次放射器の中心軸線に対して対称な位置に配設することが好ましい。
【０００９】
前記インピーダンス調整部材は、前記一次放射器のフードの内部に設けても良い。また、前記インピーダンス調整部材は、例えば、長方形状の金属板で形成することができる。
【発明の効果】
【００１０】
本発明によれば、一次放射器の反射板に該一次放射器の放射素子側に突出する金属製のインピーダンス調整部材を配設したので、このインピーダンス調整部材によって上記放射素子と反射板の結合量を変化させることができる。このため、放射素子と反射板からなる放射部の周波数特性の変化が小さくなるように入力インピーダンスの周波数特性を調整して、Ｖ．S．W．R．の周波数特性の広帯域化を実現することが可能になる。
これによりＴＶ放送のデジタル化に伴って必要となるアナログ／アナログ変更、デジタル／アナログ共用アンテナシステムに好適なＵＨＦ帯用パラボラアンテナを提供することが可能となる。
【発明を実施するための最良の形態】
【００１１】
以下、図面を参照しながら本発明の実施形態について説明する。
図１（a）、（ｂ）および（ｃ）は、それぞれ本発明に係るＵＨＦ帯用パラボラアンテの一次放射器１の構成を例示した正面図、側面図および横断面図である。この一次放射器１０は、図６に示した格子状反射鏡面や、図７に示した板状反射鏡面等と組み合わされる。なお、図１においては、図７に示す一次放射器１００の構成部材と共通する部材に同一の参照符号を付してある。
【００１２】
上記一次放射器１は、半折れ形ダイポール素子からなる放射素子２と、この放射素子２の前方に設けられた円形金属板からなる反射板３と、中心軸線に沿って設けられた同軸管部４とを備え、該同軸管部４の後端に送信機もしくは受信機が接続される。なお、放射素子２はフード５によって囲まれている。
前記したように、この一次放射器１においては、上記ダイポール素子２および反射板３が放射部として、同軸管部４が給電回路およびインピータンス整合回路としてそれぞれ動作し、上記放射部と同軸管部４の周波数特性が上記各パラボラアンテナの入力インピーダンスの周波数特性として現れる。
【００１３】
上記反射板３には、一対のインピーダンス調整部材６が設けられている。各インピーダンス調整部材６は、長方形状の金属板からなり、放射素子２側に向って突出するように、かつ、放射素子２および一次放射器１の中心軸線を含む面内において、該中心軸線に対し対称に位置するように、反射板３の周縁部に溶接等の手段により固定されている。
【００１４】
上記一次放射器１を備えるこの実施形態に係るＵＨＦ帯用パラボラアンテナにおいては、上記インピーダンス調整部材６の長さ、大きさ、形状等によって放射素子２と反射板３の結合量が変化する。そして、この結合量の変化は、放射素子２と反射板３からなる放射部の入力インピーダンスの周波数特性に影響を与える。
そこで、この実施形態では、放射素子２と反射板３からなる放射部の入力インピーダンスの周波数特性の変化が小さくなるようにインピーダンス調整部材６の長さ、大きさ、形状等を適宜設定して、Ｖ．Ｓ．Ｗ．Ｒ．の周波数特性の広帯域化を実現している。
【００１５】
図２は、図１の一次放射器１を使用した本実施形態に係るＵＨＦ帯用パラボラアンテナのＶ．Ｓ．Ｗ．Ｒ．特性の測定結果を符号ａで、また、図７の一次放射器を使用した従来のＵＨＦ帯用パラボラアンテナの同特性の測定結果を符号ｂでそれぞれ例示したものである。なお、このＶ．Ｓ．Ｗ．Ｒ．特性は、４７０MHz〜７７０MHz（比帯域約４８％）におけるものである。
【００１６】
この図２から明らかなように、本実施形態に係るＵＨＦ帯用パラボラアンテナによれば、上記インピーダンス調整部材６による入力インピーダンスの周波数特性の調整により、Ｖ．Ｓ．Ｗ．Ｒ． １．４以下において約４８％の帯域を確保して、広帯域にチャンネルの共用を行うことが可能になる。したがって、TV放送のデジタル化に伴って必要となるアナログ／アナログ変更、デジタル／アナログ共用アンテナシステムに使用するＵＨＦ帯用パラボラアンテナとして好適である。
なお、同図から明らかなように、上記インピーダンス調整部材６を備えていない従来のＵＨＦ帯用パラボラアンテナでは、Ｖ．Ｓ．Ｗ．Ｒ．１．４以下において１０％弱程度の帯域しか確保することができない。
【００１７】
本実施形態に係るＵＨＦ帯用パラボラアンテナは、図３に例示したような電界面指向性と、図４に例示したような磁界面指向性とを有する。これらの図から明らかなように、本実施形態に係るＵＨＦ帯用パラボラアンテナによれば、指向性においても広帯域性を実現することができる。
【００１８】
本発明は、上記実施形態の構成に限定されない。すなわち、上記実施形態では、インピーダンス調整部材６を長方形状の金属板で形成しているが、他の多角形状や円、楕円形状等の金属板を使用しても良い。もちろん、インピーダンス調整部材６として、金属パイプや金属棒を用いることも可能である。
また、上記実施形態では、インピーダンス調整部材６を放射素子２および一次放射器１の中心軸線を含む面内に設けているが、該インピーダンス調整部材６を上記面内から外れた位置に設けることも可能である。ただし、インピーダンス調整部材６を上記面内に設ければ、該インピーダンス調整部材６による前記結合容量の変化効果をより高めることができる。
【００１９】
上記インピーダンス調整部材６の配置個数は任意である。しかし、複数のインピーダンス調整部材６を設ける場合には、指向特性を考慮して、各インピーダンス調整部材６を一次放射器１の中心軸線に対して等角度間隔で配列させることが好ましい。
また、上記インピーダンス調整部材６は、前記フード５の外部に位置されているが、該フード５の内部に位置させることも可能である。
更に、上記実施形態では、一次放射器１の放射素子２としてダイポール素子を使用しているが、ヘリカル素子等の他の放射素子を用いても良い。
【図面の簡単な説明】
【００２０】
【図１】（a）、（ｂ）および（ｃ）は、それぞれ本発明に係るＵＨＦ帯用パラボラアンテナの一次放射器の構成を例示した正面図、側面図および横断面図である。
【図２】本発明に係るＵＨＦ帯用パラボラアンテナのＶ．Ｓ．Ｗ．Ｒ．特性および従来のＵＨＦ帯用パラボラアンテナの同特性の測定結果をそれぞれ例示したグラフである。
【図３】本発明に係るＵＨＦ帯用パラボラアンテナの電界面指向性を例示したグラフである。
【図４】本発明に係るＵＨＦ帯用パラボラアンテナの磁界面指向性を例示したグラフである。
【図５】（ａ）および（ｂ）は、それぞれ従来のグリッドパラボラアンテナの外観を示す正面図および側面図である。
【図６】（ａ）および（ｂ）は、それぞれ従来のプレートパラボラアンテナの外観を示す正面図および側面図である。
【図７】（a）、（ｂ）および（ｃ）は、それぞれ従来のＵＨＦ帯用パラボラアンテナの一次放射器の構成を例示した正面図、側面図および横断面図である。
【図８】従来のＵＨＦ帯用パラボラアンテナの電界面指向性を例示したグラフである。
【図９】従来のＵＨＦ帯用パラボラアンテナの磁界面指向性を例示したグラフである。
【符号の説明】
【００２１】
１  一次放射器
２  放射素子
３  反射板
４  同軸管部
５  フード
６  インピーダンス調整部材
【図１】
2006287338.tif 000003
【図２】
2006287338.tif 000004
【図３】
2006287338.tif 000005
【図４】
2006287338.tif 000006
【図５】
2006287338.tif 000007
【図６】
2006287338.tif 000008
【図７】
2006287338.tif 000009
【図８】
2006287338.tif 000010
【図９】
2006287338.tif 000011